(57)【特許請求の範囲】
【請求項１】
サーバ装置と、医療機関で使用されるコンピュータ装置とを備える救急医療支援システムであって、
前記サーバ装置は、
救急隊員が使用する電子ペンによって読み取られた、傷病者に関する情報を記入するための記入用紙に形成されたコード化パターンに関する記入情報を受信する第１受信手段と、
前記傷病者を医療機関に収容するまでの状況に応じて前記救急隊員によって携帯端末に入力された携帯端末入力情報を受信する第２受信手段と、
前記第１受信手段によって受信された前記記入情報、及び前記第２受信手段によって受信された前記携帯端末入力情報に基づいて、前記傷病者の搬送状況を示す搬送情報を生成する搬送情報生成手段と、
前記医療機関で使用されるコンピュータ装置に当該医療機関への傷病者の受け入れが未確定である状態を示す第１暗証番号が入力されたときに、傷病者に関する情報であって傷病者の個人情報を含まない第１傷病者情報を前記医療機関で使用されるコンピュータ装置へ送信し、前記医療機関で使用されるコンピュータ装置に当該医療機関への傷病者の受け入れが確定した状態を示す第２暗証番号が入力されたときに、傷病者に関する情報であって傷病者の個人情報を含む第２傷病者情報を前記医療機関で使用されるコンピュータ装置へ送信する傷病者情報送信手段と、を備え、
前記医療機関で使用されるコンピュータは、前記第１暗証番号が入力されたときに前記第１傷病者情報を前記サーバ装置から受信して表示し、前記第２暗証番号が入力されたときに前記第２傷病者情報を前記サーバ装置から受信して表示することを特徴とする救急医療支援システム。
【請求項２】
前記第２受信手段は、前記傷病者の受け入れ先の医療機関が確定したことを示す受け入れ確定情報を、前記携帯端末入力情報として受信し、
前記搬送情報生成手段は、前記第２受信手段によって前記受け入れ確定情報が受信された際に、前記搬送状況を「搬送中」に設定した前記搬送情報を生成することを特徴とする請求項１に記載の救急医療支援システム。
【請求項３】
前記第２受信手段は、前記傷病者の医療機関への収容が完了したことを示す収容完了情報を、前記携帯端末入力情報として受信し、
前記搬送情報生成手段は、前記第２受信手段によって前記収容完了情報が受信された際に、前記搬送状況を「到着」に設定した前記搬送情報を生成することを特徴とする請求項１又は２に記載の救急医療支援システム。
【請求項４】
前記第１受信手段は、前記電子ペンによって読み取られた、傷病者収容証に形成されたコード化パターンに関する記入情報を更に受信し、
前記搬送情報生成手段は、前記第１受信手段によって、前記傷病者収容証に形成されたコード化パターンに関する前記記入情報が受信された際に、前記搬送状況を「到着」に設定した前記搬送情報を生成することを特徴とする請求項１又は２に記載の救急医療支援システム。
【請求項５】
前記搬送情報生成手段は、前記第１受信手段によって、前記記入用紙に形成されたコード化パターンに関する前記記入情報が受信された際に、当該記入情報に基づいて、前記記入用紙に記入された傷病者についての前記搬送情報の生成を開始することを特徴とする請求項１乃至４のいずれか一項に記載の救急医療支援システム。
【請求項６】
前記第２受信手段は、前記傷病者の受け入れ先の医療機関を示す受け入れ医療機関情報を、前記携帯端末入力情報として受信し、
前記搬送情報生成手段は、前記第２受信手段によって受信された前記受け入れ医療機関情報を含む前記搬送情報を生成することを特徴とする請求項１乃至５のいずれか一項に記載の救急医療支援システム。
【請求項７】
前記記入用紙には、前記傷病者の重症度を選択するための選択欄が設けられており、
前記記入情報には、前記電子ペンによって前記選択欄にて選択された前記重症度の情報が含まれており、
前記搬送情報生成手段は、前記記入情報に含まれる前記重症度の情報を含む前記搬送情報を生成することを特徴とする請求項１乃至６のいずれか一項に記載の救急医療支援システム。
【請求項８】
前記記入情報には、前記電子ペンの識別情報が含まれており、
前記搬送情報生成手段は、前記記入情報に含まれる前記識別情報に基づいて、前記救急隊員の所属先を示す情報を含む前記搬送情報を生成することを特徴とする請求項１乃至７のいずれか一項に記載の救急医療支援システム。
【請求項９】
前記サーバ装置は、
複数の傷病者の前記搬送情報を一覧表示させるための第１表示画面を生成する第１表示画面生成手段と、
前記携帯端末又は消防関連機関で使用されるコンピュータ装置に、前記第１表示画面の情報を送信する第１送信制御手段と、を更に備えることを特徴とする請求項１乃至８のいずれか一項に記載の救急医療支援システム。
【請求項１０】
前記第１表示画面生成手段は、複数の傷病者の前記搬送情報に基づいて、一の医療機関について、当該医療機関が受け入れた傷病者の前記搬送情報を一覧表示させるための画面を、前記第１表示画面として生成することを特徴とする請求項９に記載の救急医療支援システム。
【請求項１１】
前記サーバ装置は、
複数の傷病者の前記搬送情報に基づいて、複数の医療機関ごとに、受け入れた傷病者の人数を表示させるための第２表示画面を生成する第２表示画面生成手段と、
前記携帯端末又は消防関連機関で使用されるコンピュータ装置に、前記第２表示画面の情報を送信する第２送信制御手段と、を更に備えることを特徴とする請求項１乃至１０のいずれか一項に記載の救急医療支援システム。
【請求項１２】
前記第２表示画面生成手段は、前記受け入れた傷病者の人数を、傷病者の重症度の区分に応じて異なる態様で表示させるための前記第２表示画面を生成することを特徴とする請求項１１に記載の救急医療支援システム。
【請求項１３】
コード化パターンが形成され、傷病者に関する情報を記入するための記入用紙と、
前記記入用紙に形成された前記コード化パターンを読み取り、当該コード化パターンに関する記入情報を生成する電子ペンと、
前記電子ペンによって生成された前記記入情報を受信し、当該記入情報を前記サーバ装置に送信する携帯端末と、をさらに備えることを特徴とする請求項１乃至１２に記載の救急医療支援システム。
【請求項１４】
前記携帯端末は、
前記傷病者の受け入れ先の医療機関が確定したことを入力するための第１画面を表示させる表示制御手段と、
前記第１画面にて前記傷病者の受け入れ先の医療機関が確定したことが入力された場合に、その旨を示す受け入れ確定情報を前記サーバ装置に送信する送信制御手段と、を備えることを特徴とする請求項１３に記載の救急医療支援システム。
【請求項１５】
前記携帯端末の前記表示制御手段は、前記第１画面にて前記傷病者の受け入れ先の医療機関が確定したことが入力された後に、前記傷病者の受け入れ先の医療機関を入力するための第２画面を表示させ、
前記携帯端末の前記送信制御手段は、前記第２画面にて前記傷病者の受け入れ先の医療機関が入力された場合に、当該医療機関を示す受け入れ医療機関情報を前記サーバ装置に送信することを特徴とする請求項１４に記載の救急医療支援システム。
【請求項１６】
前記携帯端末の前記表示制御手段は、前記傷病者の医療機関への収容が完了したことを入力するための第３画面を更に表示させ、
前記携帯端末の前記送信制御手段は、前記第３画面にて前記傷病者の医療機関への収容が完了したことが入力された場合に、その旨を示す収容完了情報を前記サーバ装置に送信することを特徴とする請求項１４又は１５に記載の救急医療支援システム。
【発明の詳細な説明】
【技術分野】
【０００１】
本発明は、救急医療を支援するための技術分野に関する。
【背景技術】
【０００２】
近年、地震や台風やテロ等による大規模災害時の対応システムに、トリアージタグと呼ばれる治療優先度を示す標識タグが用いられている。このようなトリアージタグにドットパターンを形成し、電子ペンを利用して、トリアージタグに記入された内容を電子データ化する技術が提案されている（例えば特許文献１乃至４参照）。
【０００３】
その他にも、本発明に関連する技術が特許文献５乃至９に記載されている。特許文献５には、１１９番通報者の携帯電話機から、救急車の出動状況確認などの問合せがあった場合に、適切な転送先に自動で転送する技術が記載されている。また、特許文献６乃至９には、救急患者を受入れ可能な医療機関の決定を支援する技術が記載されている。
【先行技術文献】
【特許文献】
【０００４】
【特許文献１】特開２００８−３０５３０１号公報
【特許文献２】特開２００９−１８７１７０号公報
【特許文献３】特開２００９−２１７４４９号公報
【特許文献４】特許第４７３６７８４号公報
【特許文献５】特開２００９−０７１６６９号公報
【特許文献６】特開２０１０−０８６３５７号公報
【特許文献７】特開２０１０−２７７３８３号公報
【特許文献８】特開２０１１−０４８７７５号公報
【特許文献９】特開２０１２−００８７７８号公報
【発明の概要】
【発明が解決しようとする課題】
【０００５】
ところで、医療機関が提供した情報ではなく、消防等の関連機関（救急隊員も含む）が提供した情報に基づいて、傷病者を医療機関に収容するまでの状況に応じた情報を共有できれば便宜である。そこで、本発明は、救急隊員などが提供した情報に基づいて、傷病者の搬送状況を示す搬送情報を適切に生成することが可能なサーバ装置、救急医療支援システム、及びプログラムを提供することを主な目的とする。
【課題を解決するための手段】
【０００６】
本発明の１つの観点は、サーバ装置と、医療機関で使用されるコンピュータ装置とを備える救急医療支援システムであって、前記サーバ装置は、救急隊員が使用する電子ペンによって読み取られた、傷病者に関する情報を記入するための記入用紙に形成されたコード化パターンに関する記入情報を受信する第１受信手段と、前記傷病者を医療機関に収容するまでの状況に応じて前記救急隊員によって携帯端末に入力された携帯端末入力情報を受信する第２受信手段と、前記第１受信手段によって受信された前記記入情報、及び前記第２受信手段によって受信された前記携帯端末入力情報に基づいて、前記傷病者の搬送状況を示す搬送情報を生成する搬送情報生成手段と、前記医療機関で使用されるコンピュータ装置に当該医療機関への傷病者の受け入れが未確定である状態を示す第１暗証番号が入力されたときに、傷病者に関する情報であって傷病者の個人情報を含まない第１傷病者情報を前記医療機関で使用されるコンピュータ装置へ送信し、前記医療機関で使用されるコンピュータ装置に当該医療機関への傷病者の受け入れが確定した状態を示す第２暗証番号が入力されたときに、傷病者に関する情報であって傷病者の個人情報を含む第２傷病者情報を前記医療機関で使用されるコンピュータ装置へ送信する傷病者情報送信手段と、を備え、前記医療機関で使用されるコンピュータは、前記第１暗証番号が入力されたときに前記第１傷病者情報を前記サーバ装置から受信して表示し、前記第２暗証番号が入力されたときに前記第２傷病者情報を前記サーバ装置から受信して表示する。
【０００７】
上記のサーバ装置では、第１受信手段は、救急隊員が使用する電子ペンによって読み取られた、傷病者に関する情報を記入するための記入用紙に形成されたコード化パターンに関する記入情報を受信し、第２受信手段は、傷病者を医療機関に収容するまでの状況に応じて救急隊員によって携帯端末に入力された携帯端末入力情報を受信する。そして、搬送情報生成手段は、第１受信手段によって受信された記入情報、及び第２受信手段によって受信された携帯端末入力情報に基づいて、傷病者の搬送状況を示す搬送情報を生成する。これにより、医療機関が提供した情報を用いることなく、救急隊員が供給した情報に基づいて、傷病者の搬送状況を示す搬送情報を適切に生成することができる。また、傷病者の受け入れが確定していない医療機関に対しては、傷病者の個人情報を開示しない。これにより、不要な個人情報の流出を適切に防止することができる。一方で、傷病者の受け入れが確定した医療機関に対しては、傷病者の個人情報を開示する。これにより、開示された個人情報を、医療機関での電子カルテの作成に好適に利用することができる。
【０００８】
上記のサーバ装置の一態様では、前記第２受信手段は、前記傷病者の受け入れ先の医療機関が確定したことを示す受け入れ確定情報を、前記携帯端末入力情報として受信し、前記搬送情報生成手段は、前記第２受信手段によって前記受け入れ確定情報が受信された際に、前記搬送状況を「搬送中」に設定した前記搬送情報を生成する。これにより、救急車における現在の搬送状況が、傷病者の受け入れ先の医療機関が確定し、その医療機関に向かっている状況であることを示す搬送情報を適切に生成することができる。
【０００９】
上記のサーバ装置の他の一態様では、前記第２受信手段は、前記傷病者の医療機関への収容が完了したことを示す収容完了情報を、前記携帯端末入力情報として受信し、前記搬送情報生成手段は、前記第２受信手段によって前記収容完了情報が受信された際に、前記搬送状況を「到着」に設定した前記搬送情報を生成する。これにより、救急車における現在の搬送状況が、傷病者の医療機関への収容が完了した状況であることを示す搬送情報を適切に生成することができる。
【００１０】
上記のサーバ装置の他の一態様では、前記第１受信手段は、前記電子ペンによって読み取られた、傷病者収容証に形成されたコード化パターンに関する記入情報を更に受信し、前記搬送情報生成手段は、前記第１受信手段によって、前記傷病者収容証に形成されたコード化パターンに関する前記記入情報が受信された際に、前記搬送状況を「到着」に設定した前記搬送情報を生成する。これによっても、救急車における現在の搬送状況が、傷病者の医療機関への収容が完了した状況であることを示す搬送情報を適切に生成することができる。
【００１１】
上記のサーバ装置の他の一態様では、前記搬送情報生成手段は、前記第１受信手段によって、前記記入用紙に形成されたコード化パターンに関する前記記入情報が受信された際に、当該記入情報に基づいて、前記記入用紙に記入された傷病者についての前記搬送情報の生成を開始する。この態様では、記入用紙への記入に対応する記入情報が受信された際に搬送情報の生成を開始し、その記入情報の内容に応じた搬送情報を生成する。
【００１２】
上記のサーバ装置において好適には、前記第２受信手段は、前記傷病者の受け入れ先の医療機関を示す受け入れ医療機関情報を、前記携帯端末入力情報として受信し、前記搬送情報生成手段は、前記第２受信手段によって受信された前記受け入れ医療機関情報を含む前記搬送情報を生成することができる。これにより、搬送情報より、受け入れ医療機関の情報を把握することが可能となる。
【００１３】
また好適には、前記記入用紙には、前記傷病者の重症度を選択するための選択欄が設けられており、前記記入情報には、前記電子ペンによって前記選択欄にて選択された前記重症度の情報が含まれており、前記搬送情報生成手段は、前記記入情報に含まれる前記重症度の情報を含む前記搬送情報を生成する。これにより、搬送情報より、傷病者の重症度を把握することが可能となる。
【００１４】
また好適には、前記記入情報には、前記電子ペンの識別情報が含まれており、前記搬送情報生成手段は、前記記入情報に含まれる前記識別情報に基づいて、前記救急隊員の所属先を示す情報を含む前記搬送情報を生成する。これにより、搬送情報より、救急隊員の所属先を把握することが可能となる。
【００１５】
上記のサーバ装置の他の一態様では、複数の傷病者の前記搬送情報を一覧表示させるための第１表示画面を生成する第１表示画面生成手段と、前記携帯端末又は消防関連機関で使用されるコンピュータ装置に、前記第１表示画面の情報を送信する第１送信制御手段と、を更に備える。これにより、救急隊員や消防本部等に対して、複数の傷病者の搬送情報を容易に把握させることができる。例えば、出動中の各救急車が扱っている傷病者の搬送情報を一覧表示させることで、救急車の出動状況を容易に把握させることができる。
【００１６】
上記のサーバ装置の他の一態様では、前記第１表示画面生成手段は、複数の傷病者の前記搬送情報に基づいて、一の医療機関について、当該医療機関が受け入れた傷病者の前記搬送情報を一覧表示させるための画面を、前記第１表示画面として生成する。これにより、救急隊員や消防本部等に対して、一の医療機関（例えば選択された医療機関）の傷病者の受け入れ状況を容易に把握させることができる。
【００１７】
上記のサーバ装置の他の一態様では、複数の傷病者の前記搬送情報に基づいて、複数の医療機関ごとに、受け入れた傷病者の人数を表示させるための第２表示画面を生成する第２表示画面生成手段と、前記携帯端末又は消防関連機関で使用されるコンピュータ装置に、前記第２表示画面の情報を送信する第２送信制御手段と、を更に備える。これにより、救急隊員や消防本部等に対して、複数の医療機関の傷病者の受け入れ状況を容易に把握させることができ、傷病者の受け入れ先の決定を適切に支援することが可能となる。
【００１８】
上記のサーバ装置の他の一態様では、前記第２表示画面生成手段は、前記受け入れた傷病者の人数を、傷病者の重症度の区分に応じて異なる態様で表示させるための前記第２表示画面を生成する。これにより、救急隊員や消防本部等に対して、各医療機関が受け入れた傷病者について、重症度の区分ごとの人数を把握させることができる。
【００２３】
本発明の更に他の観点では、救急医療支援システムは、上記サーバ装置と、コード化パターンが形成され、傷病者に関する情報を記入するための記入用紙と、前記記入用紙に形成された前記コード化パターンを読み取り、当該コード化パターンに関する記入情報を生成する電子ペンと、前記電子ペンによって生成された前記記入情報を受信し、当該記入情報を前記サーバ装置に送信する携帯端末と、を備える。このような救急医療支援システムによれば、医療機関が提供した情報を用いることなく、救急隊員が供給した情報に基づいて、傷病者の搬送状況を示す搬送情報を適切に生成することができ、医療機関の受け入れ状況などを消防関連機関においてリアルタイムで共有することが可能となる。
【００２４】
上記の救急医療支援システムの一態様では、前記携帯端末は、前記傷病者の受け入れ先の医療機関が確定したことを入力するための第１画面を表示させる表示制御手段と、前記第１画面にて前記傷病者の受け入れ先の医療機関が確定したことが入力された場合に、その旨を示す受け入れ確定情報を前記サーバ装置に送信する送信制御手段と、を備える。このような第１画面を用いることで、傷病者の受け入れ先の医療機関が確定したことの登録を容易に行うことができる。
【００２５】
上記の救急医療支援システムの他の一態様では、前記携帯端末の前記表示制御手段は、前記第１画面にて前記傷病者の受け入れ先の医療機関が確定したことが入力された後に、前記傷病者の受け入れ先の医療機関を入力するための第２画面を表示させ、前記携帯端末の前記送信制御手段は、前記第２画面にて前記傷病者の受け入れ先の医療機関が入力された場合に、当該医療機関を示す受け入れ医療機関情報を前記サーバ装置に送信する。このような第２画面を用いることで、傷病者の受け入れ先の医療機関の登録を容易に行うことができる。
【００２６】
上記の救急医療支援システムの他の一態様では、前記携帯端末の前記表示制御手段は、前記傷病者の医療機関への収容が完了したことを入力するための第３画面を更に表示させ、前記携帯端末の前記送信制御手段は、前記第３画面にて前記傷病者の医療機関への収容が完了したことが入力された場合に、その旨を示す収容完了情報を前記サーバ装置に送信する。このような第３画面を用いることで、傷病者の医療機関への収容が完了したことの登録を容易に行うことができる。
【発明の効果】
【００３０】
本発明によれば、医療機関が提供した情報を用いることなく、救急隊員が供給した情報に基づいて、傷病者の搬送状況を示す搬送情報を適切に生成することができる。
【図面の簡単な説明】
【００３１】
【図１】本実施形態に係る救急医療支援システムのシステム構成図である。
【図２】本実施形態に係る傷病者観察メモを示す。
【図３】ドットパターンにおけるドットの配置と変換される値との関係を示す説明図である。
【図４】（ａ）はドットパターンを模式的に示し、（ｂ）はそれに対応する情報の例を示す図である。
【図５】電子ペンの構造を示す概略図である。
【図６】携帯端末の機能ブロック図である。
【図７】サーバ装置の機能ブロック図である。
【図８】受入情報画面の具体例を示す。
【図９】救急車出動状況画面の具体例を示す。
【図１０】傷病者情報画面の具体例を示す。
【図１１】受入確定登録画面及び受入医療機関登録画面の具体例を示す。
【図１２】収容登録画面の具体例を示す。
【図１３】本実施形態に係る処理フローを示す。
【図１４】他の例に係る傷病者収容証を示す。
【発明を実施するための形態】
【００３２】
以下、図面を参照しながら、本発明の実施の形態について説明する。
【００３３】
［救急医療支援システムの構成］
図１は、本実施形態に係る救急医療支援システム１０のシステム構成図である。図１に示すように、救急医療支援システム１０は、主に、消防関連機関（消防本部や消防署や救急車など）で使用される、電子ペン１、傷病者観察メモ２、携帯端末３、コンピュータ装置４及びプリンタ５と、各医療機関で使用されるコンピュータ装置７と、コンピュータ装置４、７とネットワーク（例えばインターネット）を介して接続されたサーバ装置６とを有する。
【００３４】
電子ペン１、傷病者観察メモ２及び携帯端末３は、消防本部に保管されており、救急隊員（消防隊員）の出動時に持ち出されて使用され、コンピュータ装置４及びプリンタ５は、消防本部で使用される。電子ペン１及び携帯端末３は、救急車や救急隊員の数に応じた数量用意される。傷病者観察メモ２は、電子ペン１により読み取り可能なドットパターン（コード化パターン）が印刷され、電子ペン１は、傷病者観察メモ２への記入に対応する記入情報を、Ｂｌｕｅｔｏｏｔｈ（登録商標）等の無線通信方式で携帯端末３に送信する。携帯端末３は、電子ペン１から受信した記入情報や、救急隊員によって当該携帯端末３に入力された情報を、携帯電話網（例えばＩＰパケット通信）やインターネットなどのネットワークを介してサーバ装置６に送信する。例えば、携帯端末３は、スマートフォンである。コンピュータ装置４は、ネットワーク（例えばインターネット）を介してサーバ装置６と接続される。プリンタ５は、コンピュータ装置４からの印刷指示（出力命令）に従って印刷を行う。例えば、プリンタ５は、それぞれで座標範囲の異なるユニークなドットパターンが形成された複数の傷病者観察メモ２を印刷する。
【００３５】
サーバ装置６は、携帯端末３から受信した情報に基づいて、救急車の搬送状況を示す情報（搬送情報）や、傷病者に関する情報（傷病者情報）などを生成し、これらの情報を携帯端末３、コンピュータ装置４及びコンピュータ装置７に送信する。サーバ装置６は、救急医療支援センタとして機能する。
【００３６】
［傷病者観察メモ］
図２を参照して、本実施形態に係る傷病者観察メモ２について説明する。図２に示すように、傷病者観察メモ２は、事故種別を選択するための事故種別選択欄２ａと、傷病者の氏名や住所などの個人情報を記入するための個人情報記入欄２ｂと、傷病者の具体的な症状を記入するための症状記入欄２ｃと、傷病者の重症度（傷病の程度）を選択するための重症度選択欄２ｄと、ＱＲコード（登録商標）部２ｅと、送信ボックス２ｆと、帳票番号２ｇとが設けられている。傷病者観察メモ２には、ＱＲコード部２ｅを除く全面に、ドットパターン（コード化パターン）が印刷されている。ドットパターンは、赤外線を吸収するカーボンを含んだインキにより印刷され、文字や枠線などは、赤外域に吸収性を持たないインキにより印刷される。なお、傷病者観察メモ２は、本発明における「記入用紙」の一例である。
【００３７】
重症度選択欄２ｄは、傷病の重症度として重症を選択するための「I」と印字された重症選択欄２ｄ１と、傷病の重症度として中等症を選択するための「II」と印字された中等症選択欄２ｄ２と、傷病の重症度として軽傷を選択するための「III」と印字された軽傷選択欄２ｄ３とを有する。重症選択欄２ｄ１の全体には赤色が付されており、中等症選択欄２ｄ２の全体には黄色が付されており、軽傷選択欄２ｄ３の全体には緑色が付されている。救急隊員は、重症選択欄２ｄ１、中等症選択欄２ｄ２及び軽傷選択欄２ｄ３のうちのいずれかに電子ペン１によりチェックを記入することで、傷病者の重症度を選択する。なお、重症度選択欄２ｄにおける「I」、「II」、「III」を用いた重症度の区分けや、赤色、黄色及び緑色を用いた重症度の区分けは、トリアージタグで用いられるトリアージ区分と同様である。よって、以下では、トリアージタグで用いられる「治療優先度」や「治療の優先順位」といった文言を、重症度を意味するものとして用いる場合がある。
【００３８】
ＱＲコード部２ｅには、携帯端末３のカメラで撮影することで帳票番号２ｇの情報を取得可能なＱＲコードが印刷されている。帳票番号２ｇとしては、各傷病者観察メモ２で異なる通し連番が用いられる。送信ボックス２ｆは、傷病者観察メモ２に電子ペン１により記入された内容に対応する記入情報を、電子ペン１から携帯端末３を経由してサーバ装置６へ送信する処理を実行させるための指示が定義されたエリアである。
【００３９】
なお、傷病者観察メモ２にＱＲコード部２ｅを設けなくても良い。ＱＲコード部２ｅを設けない場合には、携帯端末３に帳票番号２ｇを直接入力すれば良い。また、傷病者観察メモ２に送信ボックス２ｆを設けなくても良い。指示があるまで電子ペン１が記入情報をメモリ１０９（図５参照）に保持し続けるような構成では、電子ペン１のメモリ１０９に記憶された記入情報を携帯端末３に送信するためのトリガとしての送信ボックス２ｆを設けることが望ましい。しかしながら、電子ペン１が記入情報を携帯端末３に自動で送信するような構成（例えば、携帯端末３と通信できないような状態では記入情報をメモリ１０９に記憶し、携帯端末３と通信できる状態になったときに、メモリ１０９に記憶している記入情報を携帯端末３に送信するような構成）では、送信ボックス２ｆを設けなくても良い。
【００４０】
［ドットパターン］
次に、図３及び図４を参照しながら、傷病者観察メモ２に印刷されたアノト方式のドットパターン（コード化パターン）について説明する。図３は、傷病者観察メモ２に印刷されたドットパターンのドットと、そのドットが変換される値との関係を説明する図である。図３に示すように、ドットパターンの各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組み合わせにより、傷病者観察メモ２上の位置座標が決定されるように構成されている。
【００４１】
図４（ａ）は、あるドットパターンの配列を示している。図４（ａ）に示すように、縦横約２ｍｍの範囲内に６×６個のドットが、傷病者観察メモ２上のどの部分から６×６ドットを取っても、ユニークなパターンとなるように配置されている。これら３６個のドットにより形成されるドットパターンは位置座標（例えば、そのドットパターンが傷病者観察メモ２上のどの位置にあるのか）を保持している。図４（ｂ）は、図４（ａ）に示す各ドットを、格子の基準位置からのシフト方向によって、図３に示す規則性に基づいて、対応づけられた値に変換したものである。この変換は、ドットパターンの画像を撮影する電子ペン１によって行われる。
【００４２】
［電子ペン］
次に、電子ペン１について図５を用いて説明する。図５は、電子ペン１の構造を示す概略図である。図５に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１、及びバッテリー１１２を備える。インクカートリッジ１０４の先端はペン先部１０３となっており、救急隊員は、電子ペン１のペン先部１０３を傷病者観察メモ２に当接させて、傷病者観察メモ２にストローク（手書きストローク）を記入したり、電子ペン１のペン先部１０３を傷病者観察メモ２に当接させて、タップ（ペン先部１０３による傷病者観察メモ２への軽叩）したりする。インクカートリッジ１０４のインクは、赤外線を吸収する材料（例えばカーボン）を含まないようにする。ここで、電子ペン１のペン先部１０３が傷病者観察メモ２に接触することをペンダウンと呼び、接触している（当接している）状態からペン先部１０３が離れることをペンアップと呼ぶ。電子ペン１のペンダウンからペンアップまでの間に記入される軌跡が１つのストロークとなり、文字や図形等は、１つ又は複数個のストロークからなる。インクカートリッジ１０４のインクは、赤外線を吸収する材料を含まないので、プロセッサ１０３によるドットパターンの読取りを阻害しない。
【００４３】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、救急隊員が電子ペン１により傷病者観察メモ２に手書きストロークを記入したりタップしたりする際にペン先部１０３からインクカートリッジ１０４を通じて与えられる圧力、即ち筆圧を検出し、その値をプロセッサ１０８へ伝送する。
【００４４】
プロセッサ１０８は、圧力センサ１０７から与えられる筆圧データに基づいて、ＬＥＤ１０５及びＣＭＯＳカメラ１０６のスイッチのオン／オフを切替える。即ち、救急隊員が電子ペン１により傷病者観察メモ２に手書きストロークを記入したりタップしたりすると、ペン先部１０３に筆圧がかかり、圧力センサ１０７によって所定値以上の筆圧が検出されたときに、プロセッサ１０８は、救急隊員が記入を開始したと判定して、ＬＥＤ１０５及びＣＭＯＳカメラ１０６を作動させる。そして、通信ユニット１１１が、圧力センサ１０７により検出されたペンダウン情報ＰＤと、後述するペンＩＤとを関連付けて、記入情報として携帯端末３へ送信する。また、救急隊員が１つのストロークを記入し終えて電子ペン１を傷病者観察メモ２から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報として携帯端末３へ送信する。より詳しくは、通信ユニット１１１は、電子ペン１によって傷病者観察メモ２の送信ボックス２ｆに記入された際に、記入情報を携帯端末３へ送信する。
【００４５】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、傷病者観察メモ２上のペン先部１０３近傍に向けて赤外線を照明する。その領域は、ペン先部１０３が傷病者観察メモ２に接触する位置とはわずかにずれている。ＣＭＯＳカメラ１０６は、赤外線を透過し赤外線以外を遮断する赤外線透過フィルタが設けられており、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が少なく、ドット以外の部分は赤外線の反射量が多い。ＣＭＯＳカメラ１０６の撮影により、赤外線の反射量の違いから閾値を設けることによって、カーボンを含むドットの領域とそれ以外の領域を区別することができる。したがって、傷病者観察メモ２に文字や枠線などが印刷されていた場合でも、印刷したインクは赤外域に吸収性を持たないため、プロセッサ１０８は、ドットパターンを認識することができる。なお、ＣＭＯＳカメラ１０６による撮影領域は、図４（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００４６】
プロセッサ１０８は、救急隊員の記入が行われる間、ＣＭＯＳカメラ１０６によって供給される画像データのドットパターンから、救急隊員が記入するストローク（筆跡）の傷病者観察メモ２上におけるＸ、Ｙ座標（以後、単に「位置座標」または「座標情報」とも呼ぶ。）を連続的に演算していく。すなわち、プロセッサ１０８は、ＣＭＯＳカメラ１０６によって供給される、図４（ａ）に示されるようなドットパターンの画像データを図４（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の角度に起因するドットの画像上の配列を補正する回転補正処理機能を備えており、座標演算の際、その機能を発揮させる。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、傷病者観察メモ２における６×６のドットパターンは、傷病者観察メモ２内で重複することはないため、救急隊員が電子ペン１で文字等を記入すると、記入された位置が傷病者観察メモ２のどの位置に当たるかを、プロセッサ１０８による座標演算により特定することができる。
【００４７】
メモリ１０９には、各電子ペン１Ａ〜１Ｅを識別するためのそれぞれのペンＩＤ「ｐｅｎ０１」〜「ｐｅｎ０５」、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報として、携帯端末３を介してサーバ装置６へ送信する。通信ユニット１１１による携帯端末３への送信は、Ｂｌｕｅｔｏｏｔｈ（登録商標）などの無線送信によって、即時的かつ逐次的に行われる。ここで、電子ペン１のペンダウンからペンアップまでの間に生成されて送信された１個又は複数個の座標属性情報は、携帯端末３及びサーバ装置６によりストローク情報として記憶される。換言すると、１つのストロークは、１個又は複数個のＸ、Ｙ座標（座標点）からなり、携帯端末３及びサーバ装置６は、ペンダウン情報及びペンアップ情報によって、１つのストロークを構成する１個又は複数個の座標属性情報を認識する。
【００４８】
［携帯端末］
次に、携帯端末３について説明する。携帯端末３は、ハードウェアとして、ＣＰＵ等のプロセッサ、ＲＯＭやＲＡＭといったメモリ、ディスプレイ等で構成される。図６は、携帯端末３の機能ブロック図である。携帯端末３は、機能的には、入力手段３１、受信手段３２、処理手段３４、記憶手段３５、表示手段３６及び通信手段３７を備える。
【００４９】
入力手段３１は、各種コマンドやデータを入力するためのボタンなどから構成されている。表示手段３６がタッチパネル方式である場合には、表示手段３６の表示画面上に設けられたタッチパネルも入力手段３１として機能する。受信手段３２は、アンテナ受信回路等により構成され、電子ペン１から記入情報を受信する。表示手段３６は、ディスプレイ等によって構成され、処理手段３４によって指示された内容を表示する。
【００５０】
通信手段３７は、携帯電話網（例えばＩＰパケット通信）やインターネットなどのネットワークを介してサーバ装置６と通信を行う。例えば、通信手段３７は、受信手段３２によって受信された記入情報をサーバ装置６に送信したり、後述する受け入れ確定情報、受け入れ医療機関情報及び収容完了情報をサーバ装置６に送信したり、サーバ装置６によって生成された表示画面に関する情報をサーバ装置６から受信したりする。
【００５１】
記憶手段３５は、ＲＯＭ、ＲＡＭといったメモリによって構成され、処理手段３４の指示により、プログラムの実行により生成される各種情報を記憶する。例えば、記憶手段３５は、傷病者観察メモ２に印刷されたドットパターンの座標範囲に関する座標定義情報を記憶している。また、記憶手段３５は、処理手段３４の処理命令により、電子ペン１から受信した記入情報をペンＩＤ毎に記憶し、さらに、処理手段３４の指示により、記憶領域を確保して、ペンダウンからペンアップまでの記入情報に含まれる座標属性情報をストローク情報としてペンＩＤ毎に記憶する。
【００５２】
処理手段３４は、ＣＰＵ等のプロセッサによって構成され、携帯端末３の全体の制御を行う。具体的には、処理手段３４は、表示制御手段３４１及び送信制御手段３４２を有する。表示制御手段３４１は、通信手段３７によって受信された、サーバ装置６で生成された表示画面の情報に基づいて、当該表示画面を表示手段３６に表示させる。例えば、表示制御手段３４１は、複数の医療機関ごとに、受け入れた傷病者の人数が示された画面や、一の医療機関について、当該医療機関が受け入れた傷病者の搬送情報が一覧にて示された画面などを表示手段３６に表示させる。以下では、これらの画面を「受入情報画面」と呼ぶ。
【００５３】
また、表示制御手段３４１は、傷病者の受け入れ先の医療機関が確定したことを入力するための画面（以下では「受入確定登録画面」と呼ぶ。）や、傷病者の受け入れ先の医療機関を入力するための画面（以下では「受入医療機関登録画面」と呼ぶ。）や、傷病者の医療機関への収容が完了したことを入力するための画面（以下では「収容登録画面」と呼ぶ。）を、表示手段３６に表示させる。受入確定登録画面は本発明における「第１画面」に相当し、受入医療機関登録画面は本発明における「第２画面」に相当し、収容登録画面は本発明における「第３画面」に相当する。また、表示制御手段３４１は、このような受入確定登録画面や収容登録画面を表示させる場合に、受信手段３２によって受信された記入情報に基づいて、救急隊員によって記入された状態にある傷病者観察メモ２と同様の内容の画像も表示させる。
【００５４】
送信制御手段３４２は、受入確定登録画面にて、救急隊員が入力手段３１によって傷病者の受け入れ先の医療機関が確定したことを入力した場合に、その旨を示す受け入れ確定情報を、通信手段３７を介してサーバ装置６に送信させる。また、送信制御手段３４２は、受入医療機関登録画面にて、救急隊員が入力手段３１によって傷病者の受け入れ先の医療機関を入力した場合に、当該医療機関を示す受け入れ医療機関情報を、通信手段３７を介してサーバ装置６に送信させる。また、送信制御手段３４２は、収容登録画面にて、救急隊員が入力手段３１によって傷病者の医療機関への収容が完了したことを入力した場合に、その旨を示す収容完了情報を、通信手段３７を介してサーバ装置６に送信させる。なお、受け入れ確定情報、受け入れ医療機関情報及び収容完了情報は、本発明における「携帯端末入力情報」の一例である。
【００５５】
［サーバ装置］
次に、サーバ装置６について説明する。サーバ装置６は、ハードウェアとして、ＣＰＵ等のプロセッサ、ＲＯＭやＲＡＭといったメモリ等で構成される。図７は、サーバ装置６の機能ブロック図である。サーバ装置６は、機能的には、処理手段６４、記憶手段６５、通信手段６７及び通信インターフェース６８を備える。
【００５６】
通信手段６７は、携帯電話網（例えばＩＰパケット通信）やインターネットなどのネットワークを介して携帯端末３と通信を行う。例えば、通信手段６７は、電子ペン１によって生成された記入情報を携帯端末３から受信したり、受け入れ確定情報、受け入れ医療機関情報及び収容完了情報を携帯端末３から受信したり、後述する処理手段６４によって生成された受入情報画面の情報を携帯端末３に送信したりする。なお、通信手段６７は、本発明における「第１受信手段」及び「第２受信手段」の一例である。
【００５７】
通信インターフェース６８は、ネットワーク（インターネットなど）を介して、消防関連機関で使用されるコンピュータ装置４及び医療機関で使用されるコンピュータ装置７に接続する。例えば、通信インターフェース６８は、後述する処理手段６４によって生成された各種の表示画面の情報をコンピュータ装置４、７に送信する。
【００５８】
記憶手段６５は、ＲＯＭ、ＲＡＭといったメモリによって構成され、処理手段６４の指示により、プログラムの実行により生成される各種情報を記憶する。例えば、記憶手段６５は、傷病者観察メモ２に印刷されたドットパターンの座標範囲に関する座標定義情報を記憶している。また、記憶手段６５は、処理手段６４の処理命令により、携帯端末３を介して電子ペン１から受信した記入情報をペンＩＤ毎に記憶し、さらに、処理手段６４の指示により、記憶領域を確保して、ペンダウンからペンアップまでの記入情報に含まれる座標属性情報をストローク情報としてペンＩＤ毎に記憶する。更に、記憶手段６５は、電子ペン１のペンＩＤと救急隊員の所属先（消防署名）とを対応付けた情報（以下では「所属先情報」と呼ぶ。）を記憶している。
【００５９】
処理手段６４は、ＣＰＵ等のプロセッサによって構成され、サーバ装置６の全体の制御を行う。具体的には、処理手段６４は、搬送情報生成手段６４１、表示画面生成手段６４２及び送信制御手段６４３を有する。搬送情報生成手段６４１は、通信手段６７によって受信された記入情報、受け入れ確定情報及び収容完了情報に基づいて、傷病者の搬送状況を含む搬送情報を生成する。この場合、搬送情報生成手段６４１は、通信手段６７によって記入情報が受信された際に、傷病者観察メモ２に記入された傷病者についての搬送情報の生成を開始し、通信手段６７によって受け入れ確定情報が受信された際に、搬送情報における搬送状況を「搬送中」に設定し、通信手段６７によって収容完了情報が受信された際に、搬送情報における搬送状況を「到着」に設定する。
【００６０】
また、搬送情報生成手段６４１は、記憶手段６５に記憶された、傷病者観察メモ２に形成されたドットパターンの座標範囲についての座標定義情報を参照して、通信手段６７によって受信された記入情報から、救急隊員が電子ペン１で傷病者観察メモ２の重症度選択欄２ｄにて選択した重症度を特定し、その重症度の情報を搬送情報に含める。また、搬送情報生成手段６４１は、通信手段６７によって受信された受け入れ医療機関情報を搬送情報に含める。また、搬送情報生成手段６４１は、記憶手段６５に記憶された所属先情報を参照して、通信手段６７によって受信された記入情報に含まれるペンＩＤから救急隊員の所属先を特定し、その救急隊員の所属先を示す情報を搬送情報に含める。また、搬送情報生成手段６４１は、例えば通信手段６７によって収容完了情報が受信された時刻に基づいて収容時間を求め、当該収容時間の情報を搬送情報に含める。このように、搬送情報は、搬送状況（搬送中、到着）や、重症度や、受け入れ医療機関や、救急隊員の所属先や、収容時間などを含む情報である。その他にも、搬送情報は、傷病者の氏名、年齢、性別などの個人情報や、事故種別や、傷病者の症状などの情報を含む。これらの情報は、基本的には救急隊員によって傷病者観察メモ２に記入された情報であり、搬送情報生成手段６４１は、通信手段６７によって受信された記入情報より、これらの情報を取得する。
【００６１】
表示画面生成手段６４２は、搬送情報生成手段６４１によって生成された搬送情報に基づいて、携帯端末３やコンピュータ装置４、７に表示させるための表示画面を生成する。具体的には、表示画面生成手段６４２は、複数の傷病者の搬送情報に基づいて、複数の医療機関ごとに、受け入れた傷病者の人数が示された画面や、一の医療機関（例えば救急隊員によって選択された医療機関）について、当該医療機関が受け入れた傷病者の搬送情報が一覧にて示された画面などを、受入情報画面として生成する。そして、送信制御手段６４３は、このような受入情報画面の情報を、通信手段６７を介して携帯端末３に送信する。
【００６２】
また、表示画面生成手段６４２は、複数の傷病者の搬送情報に基づいて、現在出動中の救急車の状況を示す画面（以下では「救急車出動状況画面」と呼ぶ。）を生成する。具体的には、表示画面生成手段６４２は、出動中の各救急車が扱っている傷病者の搬送情報が一覧にて示された救急車出動状況画面を生成する。送信制御手段６４３は、このような救急車出動状況画面の情報を、通信インターフェース６８を介して、消防本部などで使用されるコンピュータ装置４に送信する。
【００６３】
また、表示画面生成手段６４２は、通信手段６７によって受信された記入情報に基づいて、傷病者観察メモ２に記入された傷病者情報が示された画面（以下では「傷病者情報画面」と呼ぶ。）を生成する。そして、送信制御手段６４３は、このような傷病者情報画面の情報を、通信インターフェース６８を介して、医療機関で使用されるコンピュータ装置７に送信する。具体的には、送信制御手段６４３は、医療機関で傷病者の受け入れが確定していない場合には、傷病者の個人情報を含まない傷病者情報画面の情報をコンピュータ装置７に送信し、医療機関で傷病者の受け入れが確定した場合に、傷病者の個人情報を含む傷病者情報画面の情報をコンピュータ装置７に送信する。
【００６４】
例えば、救急隊員が電話で医療機関に受け入れ要請を行う際に、医療機関に１つ目の暗証番号（以下では「第１暗証番号」と呼ぶ。）を告げ、第１暗証番号がコンピュータ装置７に入力された場合に、送信制御手段６４３は、傷病者の個人情報を含まない傷病者情報画面の情報をコンピュータ装置７に送信する。つまり、傷病者の受け入れ要請時には、傷病者の個人情報を開示しない。この後、医療機関がそのような傷病者情報画面を確認して、傷病者の受け入れを決定した際に、救急隊員が電話で医療機関に２つ目の暗証番号（以下では「第２暗証番号」と呼ぶ。）を告げ、第２暗証番号がコンピュータ装置７に入力された場合に、送信制御手段６４３は、傷病者の個人情報を含む傷病者情報画面の情報をコンピュータ装置７に送信する。つまり、傷病者の受け入れが確定した医療機関にのみ、当該傷病者の個人情報を開示する。
【００６５】
なお、表示画面生成手段６４２は、本発明における「第１表示画面生成手段」及び「第２表示画面生成手段」の一例である。また、送信制御手段６４３は、本発明における「第１送信制御手段」、「第２送信制御手段」及び「第３送信制御手段」の一例である。
【００６６】
［表示画面例］
次に、本実施形態において、携帯端末３、コンピュータ装置４及びコンピュータ装置７に表示される画面例について示す。
【００６７】
（受入情報画面）
図８は、受入情報画面の具体例を示す図である。上記したように、受入情報画面は、サーバ装置６の処理手段６４内の表示画面生成手段６４２によって生成され、携帯端末３の表示手段３６に表示されるものである。
【００６８】
図８（ａ）は、受入情報画面の一例を示す図である。以下では、図８（ａ）に示す受入情報画面を「第１受入情報画面」と呼ぶ。なお、第１受入情報画面は、本発明における「第２表示画面」の一例である。
【００６９】
図８（ａ）に示すように、第１受入情報画面では、所定の地域内の複数の医療機関ごとに（符号５０ａ参照）、受け入れた傷病者の人数が棒グラフにて表示される（符号５０ｂ参照）。また、第１受入情報画面では、当該画面を閉じるためのボタン５０ｃも表示される。なお、ここでいう「受け入れた傷病者の人数」とは、搬送情報における搬送状況が「搬送中」又は「到着」となっている傷病者の人数を示す。具体的には、第１受入情報画面では、重症度の区分（重症、中等症、軽傷）ごとに、傷病者の人数を示した棒グラフが表示されると共に、重症度の区分に応じた色にて、各区分の棒グラフが表示される。詳しくは、重症度が重症である傷病者の人数は赤色の棒グラフにて表示され、重症度が中等症である傷病者の人数は黄色の棒グラフにて表示され、重症度が軽傷である傷病者の人数は緑色の棒グラフにて表示される。
【００７０】
サーバ装置６の表示画面生成手段６４２は、サーバ装置６の搬送情報生成手段６４１によって生成された複数の傷病者の搬送情報に基づいて、このような第１受入情報画面を生成する。具体的には、表示画面生成手段６４２は、搬送情報に含まれる、搬送状況の情報や、受け入れ医療機関の情報や、重症度の情報に基づいて、所定の地域内に含まれる複数の医療機関のそれぞれについて、搬送状況が「搬送中」又は「到着」である傷病者の人数を、重症度の区分ごとに求めることで、第１受入情報画面を生成する。
【００７１】
図８（ｂ）は、受入情報画面の他の例を示す図である。以下では、図８（ｂ）に示す受入情報画面を「第２受入情報画面」と呼ぶ。なお、第２受入情報画面は、本発明における「第１表示画面」の一例である。例えば、第２受入情報画面は、図８（ａ）に示した第１受入情報画面において一の医療機関が選択された際に表示される。
【００７２】
図８（ｂ）に示すように、第２受入情報画面では、一の医療機関について、当該医療機関が受け入れた傷病者の搬送情報が一覧にて表示される。つまり、第２受入情報画面では、医療機関別の受け入れ履歴が表示される。具体的には、第２受入情報画面では、一の医療機関が受け入れた複数の傷病者について、収容時間（符号５１ａ参照）、搬送状況（符号５１ｂ参照）、重症度（符号５１ｃ参照）、傷病者の年齢（符号５１ｄ参照）、傷病者の性別（符号５１ｅ参照）、事故種別（符号５１ｆ参照）などが表示される。符号５１ｃで示す重症度の欄は、重症度が重症である場合には赤色で表示され、重症度が中等症である場合には黄色で表示され、重症度が軽傷である場合には緑色で表示される。また、第２受入情報画面では、当該画面を閉じるためのボタン５１ｇも表示される。
【００７３】
このように第２受入情報画面に表示される情報は、サーバ装置６の搬送情報生成手段６４１によって生成される搬送情報に含まれるものであり、サーバ装置６の表示画面生成手段６４２は、搬送情報生成手段６４１によって生成された搬送情報に基づいて、一の医療機関についての搬送情報を一覧にて示した第２受入情報画面を生成する。この場合、表示画面生成手段６４２は、表示すべき搬送情報のうち、傷病者観察メモ２に電子ペン１によって記入された文字に対応する情報は（例えば年齢）、手書きストロークに対して文字認識処理を行うことで得られた文字を表示させるようにする。なお、文字認識処理を行わずに、手書きストロークをそのまま表示させても良い。他方で、表示画面生成手段６４２は、表示すべき搬送情報のうち、傷病者観察メモ２の選択欄にて電子ペン１によって選択された情報は（例えば性別、事故種別）は、その選択された情報を表示させるようにする。
【００７４】
上記したような第１受入情報画面及び第２受入情報画面を表示させることで、各医療機関の傷病者の受け入れ状況を救急隊員に容易に把握させることができ、傷病者の受け入れ先の決定を適切に支援することが可能となる。例えば、受け入れ要請を行う医療機関の候補を適切に絞り込むことが可能となる。
【００７５】
なお、上記したような第１受入情報画面及び第２受入情報画面では、基本的には、現在から所定時間前までの間についての、複数の医療機関が受け入れた傷病者の人数の情報や、医療機関が受け入れた傷病者の搬送情報（以下では、これらの情報を単に「受入情報」と呼ぶ。）が表示される。他の例では、そのような所定時間を、救急隊員による携帯端末３への操作に応じて適宜切り替えられるようにしても良い。例えば、現在から１時間前までの受入情報の表示や、現在から３時間前までの受入情報の表示や、現在から６時間前までの受入情報の表示などを、救急隊員による携帯端末３への操作に応じて切り替えられるようにしても良い。更に、全ての重症度の区分（３つの区分）についての受入情報を表示させることに限定はされず、救急隊員による携帯端末３への操作に応じて、１つ又は２つの重症度の区分についての受入情報のみを表示させるようにしても良い。例えば、重症度が重症である受入情報の表示や、重症度が中等症である受入情報の表示や、重症度が軽傷である受入情報の表示や、重症度が重症及び中等症である受入情報の表示などを、救急隊員による携帯端末３への操作に応じて切り替えられるようにしても良い。
【００７６】
なお、上記したような第１受入情報画面及び第２受入情報画面を、携帯端末３だけでなく、消防本部などで使用されるコンピュータ装置４に表示させても良い。
【００７７】
（救急車出動状況画面）
図９は、救急車出動状況画面の具体例を示す図である。上記したように、救急車出動状況画面は、サーバ装置６の処理手段６４内の表示画面生成手段６４２によって生成され、消防本部などで使用されるコンピュータ装置４の表示手段に表示されるものである。
【００７８】
図９に示すように、救急車出動状況画面では、複数の傷病者の搬送情報が一覧にて表示される。具体的には、救急車出動状況画面では、出動中の各救急車が扱っている傷病者ごとに、重症度、つまり治療の優先順位（符号５２ａ参照）、傷病者の氏名（符号５２ｂ参照）、傷病者の年齢（符号５２ｃ参照）、傷病者の性別（符号５２ｄ参照）、事故種別（符号５２ｅ参照）、救急隊員の所属先（符号５２ｆ参照）、受け入れ医療機関、つまり搬送先（符号５２ｇ参照）、収容時間（符号５２ｈ参照）、搬送状況（符号５２ｉ参照）、及び傷病者の症状（符号５２ｊ参照）が表示される。符号５２ａで示す重症度（優先順位）の欄は、重症度が重症である場合には赤色で表示され、重症度が中等症である場合には黄色で表示され、重症度が軽傷である場合には緑色で表示される。
【００７９】
このように救急車出動状況画面に表示される情報は、サーバ装置６の搬送情報生成手段６４１によって生成される搬送情報に含まれるものであり、サーバ装置６の表示画面生成手段６４２は、搬送情報生成手段６４１によって生成された搬送情報に基づいて、出動中の各救急車が扱っている傷病者の搬送情報を一覧にて示した救急車出動状況画面を生成する。この場合、表示画面生成手段６４２は、表示すべき搬送情報のうち、傷病者観察メモ２に電子ペン１によって記入された文字に対応する情報は（例えば氏名、年齢）、手書きストロークに対して文字認識処理を行うことで得られた文字を表示させるようにする。なお、文字認識処理を行わずに、手書きストロークをそのまま表示させても良い。他方で、表示画面生成手段６４２は、表示すべき搬送情報のうち、傷病者観察メモ２の選択欄にて電子ペン１によって選択された情報は（例えば性別、事故種別、症状）は、その選択された情報を表示させるようにする。
【００８０】
上記したような救急車出動状況画面を表示させることで、消防本部指令やコーディネータは、救急車の出動状況を容易に把握することができ、救急車の搬送調整を適切に行うことが可能となる。
【００８１】
なお、上記したような救急車出動状況画面を、消防本部などで使用されるコンピュータ装置４だけでなく、携帯端末３に表示させても良い。
【００８２】
（傷病者情報画面）
図１０は、傷病者情報画面の具体例を示す図である。上記したように、傷病者情報画面は、サーバ装置６の処理手段６４内の表示画面生成手段６４２によって生成され、医療機関で使用されるコンピュータ装置７の表示手段に表示されるものである。
【００８３】
図１０（ａ）は、コンピュータ装置７に第１暗証番号が入力された場合に表示される傷病者情報画面の一例である。以下では、図１０（ａ）に示す傷病者情報画面を「第１傷病者情報画面」と呼ぶ。前述したように、第１暗証番号は、例えば救急隊員が電話で受け入れ要請を行う際に医療機関側に告げられるものであり、図１０（ａ）に示すような第１傷病者情報画面は、そのような第１暗証番号がコンピュータ装置７に入力された場合に表示される。
【００８４】
図１０（ａ）に示すように、第１傷病者情報画面では、受け入れ要請の対象となっている傷病者についての傷病者情報が表示される。具体的には、符号５３ａに示すように、第１傷病者情報画面では、傷病者観察メモ２と同様の内容の画像が表示される。詳しくは、第１傷病者情報画面では、傷病者観察メモ２の個人情報記入欄２ｂを除いた部分が表示される。また、第１傷病者情報画面では、符号５３ｂに示すように、救急隊員の所属先、つまり搬送機関が表示されると共に、符号５３ｃに示すように、傷病の重症度、つまり治療の優先順位が表示される。更に、第２受入情報画面では、当該画面を閉じるためのボタン５３ｄも表示される。
【００８５】
サーバ装置６の表示画面生成手段６４２は、通信手段６７によって受信された記入情報に基づいて、このような第１傷病者情報画面を生成する。具体的には、表示画面生成手段６４２は、記憶手段６５に記憶された、傷病者観察メモ２に形成されたドットパターンの座標範囲についての座標定義情報を参照して、通信手段６７によって受信された記入情報から、救急隊員によって記入された手書きストロークを傷病者観察メモ２に対応する画像上に描画することで、符号５３ａに示す画像を生成する。また、表示画面生成手段６４２は、記憶手段６５に記憶された所属先情報を参照して、通信手段６７によって受信された記入情報に含まれるペンＩＤから救急隊員の所属先を特定することで、符号５３ｂに示す画像を生成する。また、表示画面生成手段６４２は、記憶手段６５に記憶された、傷病者観察メモ２に形成されたドットパターンの座標範囲についての座標定義情報を参照して、通信手段６７によって受信された記入情報から、救急隊員が電子ペン１で傷病者観察メモ２の重症度選択欄２ｄにて選択した重症度を特定することで、符号５３ｃに示す画像を生成する。
【００８６】
上記したような第１傷病者情報画面を表示させることで、医療機関は、救急隊員から受け入れ要請があった際に、救急隊員が傷病者を観察して傷病者観察メモ２に記入した情報（主に症状に関する情報）を確認することができる。これにより、医療機関は、傷病者の受け入れについての判断を行い易くなる。
【００８７】
図１０（ｂ）は、コンピュータ装置７に第２暗証番号が入力された場合に表示される傷病者情報画面の一例である。以下では、図１０（ｂ）に示す傷病者情報画面を「第２傷病者情報画面」と呼ぶ。前述したように、第２暗証番号は、例えば医療機関が第１傷病者情報画面を確認して傷病者の受け入れを決定した際に告げられるものであり、図１０（ｂ）に示すような第２傷病者情報画面は、そのような第２暗証番号がコンピュータ装置７に入力された場合に表示される。
【００８８】
図１０（ｂ）の符号５４ａに示すように、第２傷病者情報画面でも、傷病者観察メモ２と同様の内容の画像が表示される。具体的には、第２傷病者情報画面では、第１傷病者情報画面と異なり、傷病者観察メモ２の個人情報記入欄２ｂを含む全ての部分が表示される（図１０（ｂ）では、傷病者観察メモ２の下の部分が表示されていない）。また、第２傷病者情報画面では、符号５４ｂに示すように、救急隊員の所属先、つまり搬送機関が表示されると共に、符号５４ｃに示すように、傷病の重症度、つまり治療の優先順位が表示される。更に、第２傷病者情報画面では、符号５４ｄに示すように、傷病者の個人情報、具体的には氏名、性別、年齢及び電話番号が表示される。加えて、第２受入情報画面では、受け入れの確定を示すステータス５４ｅが表示されると共に、第２受入情報画面を閉じるためのボタン５４ｆが表示される。
【００８９】
サーバ装置６の表示画面生成手段６４２は、通信手段６７によって受信された記入情報に基づいて、このような第２傷病者情報画面を生成する。符号５４ａ〜５４ｃに示す画像の生成方法は、第１傷病者情報画面における符号５３ａ〜５３ｃに示す画像の生成方法と同様である。他方で、符号５４ｄに示す画像については、表示画面生成手段６４２は、通信手段６７によって受信された記入情報に基づいて、傷病者観察メモ２の個人情報記入欄２ｂに記入された手書きストロークに対して文字認識処理を行うことで生成する。つまり、表示画面生成手段６４２は、個人情報記入欄２ｂに記入された手書きストロークに対して文字認識処理を行うことで得られた文字を、符号５４ｄに示す画像として表示させる。
【００９０】
上記したように、本実施形態では、傷病者の個人情報を含む第２傷病者情報画面を、傷病者の受け入れが確定した医療機関にのみ表示させる。即ち、傷病者の受け入れが確定した医療機関にのみ、傷病者の個人情報を開示する。これにより、不要な個人情報の流出を適切に防止することができる。一方で、傷病者の受け入れが確定した医療機関に個人情報を開示することで、この情報を医療機関での電子カルテの作成に好適に利用することができる。
【００９１】
なお、第１傷病者情報画面及び第２傷病者情報画面は、医療機関側で、救急隊員の所属先（消防隊名など）を入力させることで表示させるようにしても良い。
【００９２】
（受入確定登録画面及び受入医療機関登録画面）
図１１は、受入確定登録画面及び受入医療機関登録画面の具体例を示す図である。上記したように、受入確定登録画面及び受入医療機関登録画面は、携帯端末３の処理手段３４内の表示制御手段３４１によって、表示手段３６に表示されるものである。
【００９３】
図１１（ａ）は、受入確定登録画面の一例を示す図である。受入確定登録画面では、符号５５ａに示すように、傷病者観察メモ２と同様の内容の画像が表示される。また、受入確定登録画面では、符号５５ｂに示すように、救急隊員の所属先、つまり搬送機関が表示されると共に、符号５５ｃに示すように、傷病の重症度、つまり治療の優先順位が表示される。また、受入確定登録画面では、符号５５ｄに示すように、傷病者の個人情報、具体的には氏名、性別、年齢及び電話番号が表示される。更に、受入確定登録画面では、傷病者の受け入れ先の医療機関が確定したことを入力するためのボタン５５ｅが表示されると共に、受入確定登録画面を閉じるためのボタン５５ｆが表示される。救急隊員が入力手段３１によってボタン５５ｅを押下した際に、携帯端末３の送信制御手段３４２は、傷病者の受け入れ先の医療機関が確定したことを示す受け入れ確定情報を、通信手段３７を介してサーバ装置６に送信させる。サーバ装置６の搬送情報生成手段６４１は、このような受け入れ確定情報が通信手段６７によって受信された際に、搬送情報における搬送状況を「搬送中」に設定する。
【００９４】
なお、１つの例では、救急隊員が携帯端末３のカメラで傷病者観察メモ２のＱＲコード部２ｅを撮影することにより、受入確定登録の対象となっている傷病者についての受入確定登録画面が表示される。この例では、携帯端末３の処理手段３４が、撮影画像からＱＲコードを読み取り、当該ＱＲコードに含まれる帳票番号に基づいて、受入確定登録の対象となっている傷病者についての受入確定登録画面を表示させる。他の例では、救急隊員が入力手段３１によって帳票番号を直接入力することで、処理手段３４が、当該帳票番号に基づいて、受入確定登録の対象となっている傷病者についての受入確定登録画面を表示させる。
【００９５】
なお、受入確定登録画面は携帯端末３の表示制御手段３４１によって生成されるが、受入確定登録画面における符号５５ａ〜５５ｄに示す画像の生成方法は、サーバ装置６の表示画面生成手段６４２によって実行される、第２傷病者情報画面における符号５４ａ〜５４ｄに示す画像の生成方法と同様であるため、その説明を省略する。
【００９６】
図１１（ｂ）は、受入医療機関登録画面の一例を示す図である。受入医療機関登録画面は、受入確定登録画面のボタン５５ｅが押下された場合に表示される。受入医療機関登録画面では、医療機関が含まれる地域を選択するためのボタン５６ａ１〜５６ａ５（５６ａ）が表示されると共に、受け入れ先の医療機関を選択するためのボタン５６ｂ１〜５６ｂ４（５６ｂ）が表示される。救急隊員が入力手段３１によってボタン５６ａを押下した際に、携帯端末３の表示制御手段３４１は、押下されたボタン５６ａに対応する地域に含まれる医療機関についてのボタン５６ｂを表示させる。そして、救急隊員が入力手段３１によってボタン５６ｂを押下した際に、携帯端末３の送信制御手段３４２は、押下されたボタン５６ｂに対応する医療機関を示す受け入れ医療機関情報を、通信手段３７を介してサーバ装置６に送信させる。サーバ装置６の搬送情報生成手段６４１は、このような受け入れ医療機関情報が通信手段６７によって受信された際に、当該受け入れ医療機関情報を搬送情報に含める。
【００９７】
上記したような受入確定登録画面及び受入医療機関登録画面によれば、傷病者の受け入れ先の医療機関が確定したことの登録、及び傷病者の受け入れ先の医療機関の登録を、容易に行うことができる。
【００９８】
（収容登録画面）
図１２は、収容登録画面の具体例を示す図である。上記したように、収容登録画面は、携帯端末３の処理手段３４内の表示制御手段３４１によって、表示手段３６に表示されるものである。
【００９９】
図１２の符号５７ａに示すように、収容登録画面では、傷病者観察メモ２と同様の内容の画像が表示される。また、収容登録画面では、符号５７ｂに示すように、傷病者の個人情報、具体的には氏名、性別、年齢及び電話番号が表示される。更に、収容登録画面では、傷病者の医療機関への収容が完了したことを入力するためのボタン５７ｃが表示されると共に、収容登録画面を閉じるためのボタン５７ｄが表示される。救急隊員が入力手段３１によってボタン５７ｃを押下した際に、携帯端末３の送信制御手段３４２は、傷病者の医療機関への収容が完了したことを示す収容完了情報を、通信手段３７を介してサーバ装置６に送信させる。サーバ装置６の搬送情報生成手段６４１は、このような収容完了情報が通信手段６７によって受信された際に、搬送情報における搬送状況を「到着」に設定する。
【０１００】
なお、１つの例では、救急隊員が携帯端末３のカメラで傷病者観察メモ２のＱＲコード部２ｅを撮影することにより、収容登録の対象となっている傷病者についての収容登録画面が表示される。この例では、携帯端末３の処理手段３４が、撮影画像からＱＲコードを読み取り、当該ＱＲコードに含まれる帳票番号に基づいて、収容登録の対象となっている傷病者についての収容登録画面を表示させる。他の例では、救急隊員が入力手段３１によって帳票番号を直接入力することで、処理手段３４が、当該帳票番号に基づいて、収容登録の対象となっている傷病者についての収容登録画面を表示させる。
【０１０１】
なお、収容登録画面は携帯端末３の表示制御手段３４１によって生成されるが、収容登録画面における符号５７ａ、５７ｂに示す画像の生成方法は、サーバ装置６の表示画面生成手段６４２によって実行される、第２傷病者情報画面における符号５４ａ、５４ｄに示す画像の生成方法と同様であるため、その説明を省略する。
【０１０２】
上記したような収容登録画面によれば、傷病者の医療機関への収容が完了したことの登録を容易に行うことができる。
【０１０３】
［処理フロー］
次に、図１３を参照して、本実施形態に係る救急医療支援システム１０にて行われる処理フローについて説明する。なお、図１３で示す「コンピュータ装置」は、医療機関で使用されるコンピュータ装置７を意味する。
【０１０４】
まず、電子ペン１は、救急隊員による傷病者観察メモ２への記入に対応する記入情報を生成し、当該記入情報を携帯端末３に送信する（ステップＳ１０）。次に、携帯端末３では、受信手段３２が、電子ペン１から送信された記入情報を受信し、通信手段３７が、当該記入情報を、携帯電話網やインターネットなどのネットワークを介してサーバ装置６に送信する（ステップＳ２０）。そして、携帯端末３では、通信手段３７が、サーバ装置６によって生成された受入情報画面の情報をサーバ装置６から受信し、表示制御手段３４１が、受入情報画面（図８参照）を表示手段３６に表示させる（ステップＳ２１）。救急隊員は、受入情報画面に表示された各医療機関の受け入れ状況を参考にして、受け入れ要請を行う医療機関の候補を選定して、電話にて医療機関に受け入れ要請を行う。
【０１０５】
次に、携帯端末３では、表示制御手段３４１が、受入確定登録画面（図１１（ａ）参照）を表示手段３６に表示させる（ステップＳ２２）。例えば、受入確定登録画面は、受け入れ先の医療機関が決まった後に、救急隊員が携帯端末３のカメラで傷病者観察メモ２のＱＲコード部２ｅを撮影し、ＱＲコードに含まれる帳票番号が読み出された際に、若しくは、救急隊員が入力手段３１によって帳票番号を入力した際に表示される。そして、このような受入確定登録画面が表示された際に、救急隊員によって、傷病者の受け入れ先の医療機関が確定したことを入力するためのボタン５５ｅが押下された場合（ステップＳ２３：Ｙｅｓ）、処理はステップＳ２４に進み、救急隊員によってボタン５５ｅが押下されていない場合（ステップＳ２３：Ｎｏ）、処理はステップＳ２３に戻る。ステップＳ２４では、送信制御手段３４２が、通信手段３７を介して、受け入れ確定情報をサーバ装置６に送信させる（ステップＳ２４）。
【０１０６】
次に、携帯端末３では、表示制御手段３４１が、受入医療機関登録画面（図１１（ｂ）参照）を表示手段３６に表示させる（ステップＳ２５）。この後、受入医療機関登録画面にて、救急隊員によって傷病者の受け入れ先の医療機関が入力された場合に、送信制御手段３４２が、当該医療機関を示す受け入れ医療機関情報を、通信手段３７を介してサーバ装置６に送信させる（ステップＳ２６）。
【０１０７】
次に、携帯端末３では、表示制御手段３４１が、収容登録画面（図１２参照）を表示手段３６に表示させる（ステップＳ２７）。例えば、収容登録画面は、傷病者の収容が完了した後に、救急隊員が携帯端末３のカメラで傷病者観察メモ２のＱＲコード部２ｅを撮影し、ＱＲコードに含まれる帳票番号が読み出された際に、若しくは、救急隊員が入力手段３１によって帳票番号を入力した際に表示される。そして、このような収容登録画面が表示された際に、救急隊員によって、傷病者の医療機関への収容が完了したことを入力するためのボタン５７ｃが押下された場合（ステップＳ２８：Ｙｅｓ）、処理はステップＳ２９に進み、救急隊員によってボタン５７ｃが押下されていない場合（ステップＳ２８：Ｎｏ）、処理はステップＳ２８に戻る。ステップＳ２９では、送信制御手段３４２が、通信手段３７を介して、収容完了情報をサーバ装置６に送信させる（ステップＳ２９）。
【０１０８】
他方で、サーバ装置６では、搬送情報生成手段６４１が、通信手段６７によって携帯端末３から受信された記入情報、受け入れ確定情報、受け入れ医療機関情報及び収容完了情報に基づいて、搬送情報を生成する（ステップＳ４０）。なお、搬送情報生成手段６４１は、記入情報、受け入れ確定情報、受け入れ医療機関情報及び収容完了情報の全てが受信された後に搬送情報を生成するのではなく、記入情報が受信された際に搬送情報の生成を開始して、受け入れ確定情報、受け入れ医療機関情報及び収容完了情報のそれぞれが受信されるごとに、情報の内容に応じて搬送情報を更新していく。
【０１０９】
次に、サーバ装置６では、表示画面生成手段６４２が、搬送情報生成手段６４１によって生成された搬送情報に基づいて、各種の表示画面を生成して、送信制御手段６４３が、生成された表示画面の情報を、携帯端末３、消防本部などで使用されるコンピュータ装置４、及び医療機関で使用されるコンピュータ装置７に送信させる（ステップＳ３１）。具体的には、表示画面生成手段６４２は、受入情報画面（第１受入情報画面及び第２受入情報画面を含む：図８参照）、救急車出動状況画面（図９参照）、及び傷病者情報画面（第１傷病者情報画面及び第２傷病者情報画面を含む：図１０参照）を生成する。そして、送信制御手段６４３は、受入情報画面の情報については、通信手段６７を介して携帯端末３に送信させ、救急車出動状況画面の情報については、通信インターフェース６８を介してコンピュータ装置４に送信させ、傷病者情報画面の情報については、通信インターフェース６８を介してコンピュータ装置７に送信させる。
【０１１０】
他方で、医療機関で使用されるコンピュータ装置７では、第１暗証番号が入力された場合に（ステップＳ４０：Ｙｅｓ）、傷病者の個人情報を含まない第１受入情報画面の情報がサーバ装置６から受信され、第１受入情報画面が表示される（ステップＳ４１）。第１暗証番号が入力されていない場合（ステップＳ４０：Ｎｏ）、処理はステップＳ４０に戻る。次に、コンピュータ装置７では、第２暗証番号が入力された場合に（ステップＳ４２：Ｙｅｓ）、傷病者の個人情報を含む第２受入情報画面の情報がサーバ装置６から受信され、第２受入情報画面が表示される（ステップＳ４３）。第２暗証番号が入力されていない場合（ステップＳ４２：Ｎｏ）、処理はステップＳ４２に戻る。この場合には、傷病者の個人情報は開示されない。
【０１１１】
［本実施形態による作用効果］
以上説明した本実施形態によれば、医療機関が提供した情報を用いることなく、救急隊員が供給した情報に基づいて、傷病者の搬送状況を示す搬送情報を適切に生成することができる。これにより、医療機関の受け入れ状況（混雑度合いなど）を消防関連機関においてリアルタイムで共有することができるため、搬送先の医療機関を選定し易くなる。また、医療機関のパンクなどを防止することが可能となる。更に、本実施形態によれば、救急隊員は、電子ペン１での傷病者観察メモ２への記入や携帯端末３のボタン操作といった簡便な作業により、現状の業務にほとんど影響を与えることなく、情報の供給を行うことができる。
【０１１２】
［変形例］
以下では、上記した実施形態の変形例について説明する。なお、下記の変形例は、任意に組み合わせて実施形態に適用することができる。
【０１１３】
（変形例１）
上記した実施形態では、サーバ装置６は、携帯端末３から収容完了情報が受信された際に、搬送情報における搬送状況を「到着」に設定していた。つまり、上記した実施形態では、救急隊員による携帯端末３への操作（ボタン５７ｃの押下）に応じて、搬送情報を更新していた（図１２参照）。他の例では、サーバ装置６は、携帯端末３への操作によらずに、図１４に示すような傷病者収容証９を用いて、搬送情報を更新することができる。具体的には、この例では、傷病者収容証９の略全面にドットパターン（コード化パターン）を印刷しておき、サーバ装置６は、電子ペン１による傷病者収容証９への記入に対応する記入情報が携帯端末３から受信された際に、搬送情報における搬送状況を「到着」に設定することができる。なお、傷病者収容証９は、医療機関や、医師名や、傷病や、収容時間などを記入する欄が設けられており、救急隊員が通常の業務において傷病者の収容完了後に記入するものである。
【０１１４】
（変形例２）
上記した実施形態では、サーバ装置６は、電子ペン１によって生成された記入情報と、携帯端末３に入力された携帯端末入力情報（受け入れ確定情報、受け入れ医療機関情報及び収容完了情報）とに基づいて、搬送情報を生成していた。他の例では、サーバ装置６は、電子ペン１によって生成された記入情報を用いずに、携帯端末３に入力された携帯端末入力情報のみに基づいて、搬送情報を生成することができる。つまり、搬送情報の生成に当たって、電子ペン１や傷病者観察メモ２を用いなくても良い。具体的には、この例では、救急隊員が傷病者を搬送するまでの間に所定の情報を携帯端末３に入力することとし、サーバ装置６は、携帯端末３に入力された当該情報が受信された際に、受信された情報に基づいて搬送情報の生成を開始する。例えば、救急隊員は、現場に到着した際に、傷病者観察メモ２に記入する情報と同様の情報を、携帯端末３に入力する。そして、サーバ装置６は、上記した実施形態と同様に、受け入れ確定情報、受け入れ医療機関情報及び収容完了情報に基づいて、搬送情報を更新していく。
【０１１５】
（変形例３）
本発明の適用は、傷病者観察メモ２に限定されない。本発明は、トリアージタグにも適用することができる。つまり、本発明における「記入用紙」として、トリアージタグを用いても良い。
【０１１６】
また、上記では、電子ペン、ドットパターン（コード化パターン）、記入情報に、アノト方式を用いていたが、アノト方式を用いることに限定はされない。
【符号の説明】
【０１１７】
１…電子ペン
２…傷病者観察メモ
３…携帯端末
４、７…コンピュータ装置
６…サーバ装置
１０…救急医療支援システム
【図１】
0005928011.tif 000002
【図２】
0005928011.tif 000003
【図３】
0005928011.tif 000004
【図４】
0005928011.tif 000005
【図５】
0005928011.tif 000006
【図６】
0005928011.tif 000007
【図７】
0005928011.tif 000008
【図８】
0005928011.tif 000009
【図９】
0005928011.tif 000010
【図１０】
0005928011.tif 000011
【図１１】
0005928011.tif 000012
【図１２】
0005928011.tif 000013
【図１３】
0005928011.tif 000014
【図１４】
0005928011.tif 000015